(57)【要約】【課題】洗い水容器にバケツ等が使え洗い水の交換及び絞り作業の身体的負担を軽減し、かつモップ布の厚みにかかわらず含水量を自由に変えられ、小型で持ち運びと収納が簡単にできるモップ絞り器を提供する。 【解決手段】基盤１の前部側でモップ布を可動ローラー２と受動ローラー３で狭圧して絞るため、可動ローラー２に連結された押引棒２３が基盤１の後部側に延び、基盤１の後部側に設けられたスプリング４を加圧させると共に押引棒２３を可動させるクランク機構をなすレバー６３が設けられた起倒板６があり、レバー６３を後方にロックすると腕棒６２を介して押引棒２３が可動ローラー２を後方に引きモップ布を狭圧する。基盤１後部側の踏み板９を踏み込むと踏み板９に連接された無端伝達体８３が回転体８に沿って回転し無端伝達体８３に連接された持ち上げ棒７が上昇し、持ち上げ棒７に連動して絞られながらモップ布が上昇し、排出される構造を有している。【選択図】図２
2009189535.tif 000002
【特許請求の範囲】
【請求項１】
基盤１の前部側でモップ布を可動ローラー２と受動ローラー３の間で狭圧して絞るため、基盤１の後部側にモップ絞り機構を構成するスプリング４及びクランク構造を有し、基盤１の後部側に可動ローラー２と受動ローラー３の間で狭圧されたモップ布を絞りながら可動ローラー２と受動ローラー３の間から排出する押し上げ機構を有するモップ絞り器
【請求項２】
基盤１の前部側でモップ布を可動ローラー２と受動ローラー３の間で狭圧して絞るため、可動ローラー２に連結された押引棒２３が基盤１の後部側に延び、基盤１の後部側に設けられたスプリング４を加圧させると共に押引棒２３を可動させるクランク機構をなす起倒板６があり、起倒板６に回動自在に軸支された腕棒６２と可動ローラー２に連結された押引棒２３が長さ調整ネジ２４でネジ止めされているモップ絞り機構を有する請求項１のモップ絞り器
【請求項３】
踏み板９を踏み込むと踏み込みに連動して、踏み板９に連動連結した無端伝達体８３が回転体８に支持され長円形に回動し、踏み板９と逆向きに動く無端伝達体８３に取り付けられた持ち上げ棒７が上昇し、持ち上げ棒７に連動しながらモップ布が可動ローラー２と受動ローラー３の間から排出される押し上げ機構を有する請求項１のモップ絞り器
【発明の詳細な説明】
【技術分野】
【０００１】
本発明は、モップ絞り器に関するものである。
【背景技術】
【０００２】
従来のモップ絞り器は水槽一体型であり、また絞るのに片手でモップの柄を上方に支え片手で下方のハンドルを回転させる。あるいは足踏みで絞りローラを狭持しモップの柄を引き上げるものであった。
【特許文献１】特開２００１−２９３０４号公報
【発明の開示】
【発明が解決しようとする課題】
【０００３】
しかしながら、上記従来のモップ絞り器では洗い水の交換に洗いに充分な容量の水と絞り装置を合わせた重量を持たなければならず身体の負担が大きく不便であった。またモップを絞るのに足踏みで絞りローラーを狭持し片手でモップの柄を上方に支え他の片手で下方のハンドルを回転させる絞り器では姿勢が困難で苦痛を伴っていた。あるいは足踏みで絞りローラーを狭持しモップの柄を引き上げる絞り器では引き上げる力を楽にするため足踏みを弱めその結果絞りが緩く絞り器の役を果たせていない等の不具合があった。さらに絞る力が一定せず常に希望の含水量を保つのは困難であった
【課題を解決するための手段】
【０００４】
本発明のモップ絞り器は基盤１の前部側でモップ布を可動ローラー２と受動ローラー３の間で狭圧して絞るため、可動ローラー２に連結された押引棒２３が基盤１の後部側に延び、基盤１の後部側に設けられたスプリング４を加圧させると共に押引棒２３を可動させるクランク機構をなす起倒板６があり、起倒板６に回動自在に軸支された腕棒６２と可動ローラー２に連結された押引棒２３が長さ調整が出来る形態でネジ止めされているモップ絞り機構を有し、また基盤１の後部側の踏み板９を踏み込むと踏み込みに連動して連動連結した無端伝達体８３が回転体８に支持され長円形に回動し、踏み板９と逆向きに動く無端伝達体８３に連接された持ち上げ棒７が上昇し、持ち上げ棒７に連動しながらモップが可動ローラー２と受動ローラー３から排出される押し上げ機構を有する。
【発明の効果】
【０００５】
本発明のモップ絞り器は水槽と一体でないため水槽にバケツ又は適切な容器が使用できるうえ、洗い水の交換にバケツ又は容器だけを持ち運べばよく重量が軽減され作業負担が少ない。また踏み板を踏み込むことで絞れたモップ布が１対のローラーから排出されるので不自然な姿勢とハンドルの手回しあるいはモップの柄の引っ張りが不要で身体の負担が非常に軽減される。更に開口幅の調整とスプリング圧の調整及びスプリングの移動が出来るため種々の厚みのモップ布に対応できるとともに自由に含水量を設定できる。水槽と分離された絞り機構と排出機構だけであるため小型軽量となり持ち運びと収納に便利である。                                                            
【発明を実施するための最良の形態】
【０００６】
以下、本発明にかかるモップ絞り器の一実施形態を図面に基づいて説明する。
【０００７】
本実施形態にかかるモップ絞り器は図１から図１２に示すように、基盤１の前部側にモップ布を圧挟する可動ローラー２と受動ローラー３が基盤１に平行に配設され、可動ローラー２は可動ローラー軸受け２１に回転自在に軸支されている。可動ローラー軸受け２１と可動ローラー２の間の軸に可動ローラー支持板２２も回動自在に軸支されている。可動ローラー支持板２２の他端は基盤１の側面に回動自在に軸支されている。
【０００８】
図７、図８に示すように可動ローラー軸受け２１は基盤１の後部側に延びた押引棒２３が連結されており、後述のクランク機構により押引棒２３が前方に押し出されると可動ローラー２は可動ローラー支持板２２を半径に前方に移動する。受動ローラー３は後述のクランク機構により押引棒２３が後方に引き戻されると可動ローラー２が接する位置に受動ローラー支持板３１に回動自在に軸支されている。受動ローラー支持板３１は基盤１に固着されている。
【０００９】
図３に示すように基盤１の後部側の中央上部に固着された軸ネジ支持板５１に軸ネジ５が連結されている。軸ネジ５はスプリング４を貫通し、スプリング４が前後に移動できるようにスプリング４を挟む形で前部に前ナット（例えばナット以下前ナットという）５２を回動自在に、さらに前板５３を摺動自在に軸ネジ５が貫通し、スプリング４の後部に略コの字状をした後板５４を摺動自在に、後ナット（例えばナット以下後ナットという）５５を回動自在に軸ネジ５が貫通している。
【００１０】
図９に示すように後板５４の両先端中央部に略コの字状をした起倒板６が嵌装され、後板５４の左右両端と起倒板６の左右両端がそれぞれ後板ネジ５６で回動自在に軸支されている。起倒板６の天板は凹字になっており起倒板６を後方に倒すと窪みに軸ネジ５が嵌る。起倒板６の両側板には左右先端上部に腕棒６２が左右にそれぞれ回動自在に起倒板ネジ６１で軸支されており、起倒板６の天板にはレバー６３が固着されている。
【００１１】
このような構造により図１に示すようにレバー６３を前方に倒すと起倒板６も前方に倒れ、起倒板ネジ６１で軸支された腕棒６２が前方に移動し、腕棒６２に長さ調整ネジ（例えば蝶ネジ以下蝶ネジという）２４で長さ調整を出来る形態でネジ止めされた押引棒２３が可動ローラー支持板２２に支えられ前方斜め下方に移動する。同時に可動ローラー２も前方斜め下方に移動する。このクランク機構により可動ローラー２と受動ローラー３は離れ、この間にモップ布を挿入する。蝶ネジ２４による押引棒２３の長さ調整により、両ローラー間の幅が調整されることからモップ布の厚みに応じて蝶ネジ２４で調整出来る。
【００１２】
図８に示すようにレバー６３を後方に倒すと起倒板６も後方に倒れ、このクランク機構により起倒板ネジ６１で軸支された腕棒６２が後方に移動し、腕棒６２に蝶ネジ２４でネジ止めされた押引棒２３が可動ローラー支持板２２に支えられ後方に移動する。同時に可動ローラー２も後方に移動し受動ローラー３に接する。
【００１３】
起倒板ネジ６１の水平位置を後板ネジ５６の水平位置から僅かに下位にすることで起倒板６及び押引棒２３をロックできる。起倒板６の天板を凹字にするのは起倒板ネジ６１の位置を下げ軸ネジ５に掛けてロックするためである。尚、図１４に示すナット付ラチェトを下向きに付けることで前ナット５２、後ナット５５に使用できる。
【００１４】
上記の構造から、厚手のモップ布又は多量に水分を含んでモップ布が厚くなっている場合は、蝶ネジ２４を回動操作して可動ローラー２を前進させ、可動ローラー２と受動ローラー3との間隔を大とし、薄手のモップ布又は少量の水分を含んで薄くなっている場合は、可動ローラー２を後退させて可動ローラー２と受動ローラー3との間隔を小とすればよい。
【００１５】
図３に示すように起倒板６を後方にロックしたとき、可動ローラー２と起倒板ネジ６１の間隔は蝶ネジ２４の位置で決まり、その間隔になるまでスプリング４を圧縮して起倒板６がロックされる。このスプリング４の圧縮力が挟圧力となる。挟圧力の調整法は２通りあり、１つには蝶ネジ２４の位置のみで調整する。すなわち蝶ネジ２４を回動操作して前進させたときは、スプリング４は更に圧縮され、挟圧力は強くなる。後退させたときは、スプリング４は圧縮を緩め、挟圧力は弱くなる。２つには例えば可動ローラー２と受動ローラー3との間隔を一定に保ったとき、すなわち蝶ネジ２４の位置を保った場合、前ナット５２の位置で挟圧力を調整する。前ナット５２を回動操作して前進させたときは、スプリング４も前進しスプリング４の圧縮が弱くなり、挟圧力が弱くなる。前ナット５２を後退させたときは、スプリング４の圧縮が強くなり、挟圧力は強くなる。このようにモップ布の厚さに応じて挟圧力を調整でき、又、可動ローラー２と受動ローラー3との開口幅を保った状態でも挟圧力を調整できる。前ナット５２と後ナット５５の回動操作でスプリング４が移動でき、挟圧力の調整範囲が広くなる。
【００１６】
上記の構成からなるモップ絞り機構を有している。
【００１７】
図２に示すようにモップ布を圧挟する可動ローラー２と受動ローラー３から絞りつつ排出するため基盤１の後部側に持ち上げ棒７があり、持ち上げ棒７の先端にはモップ掛７１がモップを掛けやすい形で固着されている。モップ掛７１の先端部はモップ布に入れ易いよう尖形であり、モップ枠を掛ける窪みが設けてある。
【００１８】
持ち上げ棒７は図６に示すように略コの字状を成しており、基盤１に固着された持ち上げ棒枠７２を貫通し、下端に戻しバネ７５がネジ止めされている。持ち上げ棒枠７２で持ち上げ棒７を安定して上昇させる。戻しバネ７５は持ち上げ棒７を下方に引き戻しモップ掛７１を上昇前の状態に戻すためのものである。
【００１９】
側板８６の上下両端には回転体支持板（例えばプーリー軸支持板、ギヤ軸支持板以下プーリー軸支持板という）８２が接続され、プーリー軸支持板８２は回転体軸（例えばプーリー軸、ギヤ軸以下プーリー軸という）８１が支持され、プーリー軸支持板８２は回転自在な回転体（例えばプーリー、ギヤ以下プーリーという）８を左右から挟むように基盤１に固定されている。プーリー８はプーリー軸８１を介してプーリー軸支持板８２に左右から回転自在に支持されている。
【００２０】
無端伝達体（例えばワイヤー、チェーン、ベルト以下ワイヤーという）８３は上下の２個のプーリー８に回動自在に支持され長円形を成している。ワイヤー８３には持ち上げ棒７側下方に持ち上げ棒ネジ７４で持ち上げ棒７の下方に接続されている。またワイヤー８３には踏み板９側上方に踏み板ネジ９１でスライド板８４を貫通して踏み板支持板９３に接続されている。踏み板支持板９３には踏み板９が足踏み出来るよう固着されている。
【００２１】
側板８６は左右２枚を向き合わせて使用する。それぞれの側板８６は基盤１に接する面に基盤１に固着するための取付板８７があり、持ち上げ棒７の上下運動を安定させるため持ち上げ棒７上部に持ち上げ棒押ガイド７３があり、スライド板８４下部にスライド板ガイド８５があり、スライド板８４上部に踏み板ガイド９２がそれぞれ上端から下端まで設けられている。取付板８７の幅はプーリー８を回動自在に挟んだ左右のプーリー軸支持板８２の両外面の幅の２分の１であり、スライド板ガイド８５及び踏み板ガイド９２の幅はプーリー軸支持板８２の幅と同様である。持ち上げ棒ネジ７４及び踏み板ネジ９１は側板８６を左右合わせた２枚で構成されたときの中央空間を上下自在に移動する。スライド板８４は左右の側板８６のスライド板ガイド８５及び踏み板ガイド９２の間に両端を上下自在に移動するよう挿入されている。
【００２２】
踏み板９を踏み込むとスライド板８４を介して接続されたワイヤー８３が上下２個のプーリー８に沿って回転する。ワイヤー８３は持ち上げ棒７に接続されており持ち上げ棒７と共にモップ掛７１が上昇し、モップ布を可動ローラー２と受動ローラー３から引き抜く。踏み板９から足を外すと戻しバネ７５により持ち上げ棒７及び踏み板９を踏み込む前の状態に戻すことが出来る。
【００２３】
図３に示すように上記の構成からなる装置が基盤１に左右各１個取り付けられた押し上げ機構を有する。
【００２４】
図１６に示すように絞り水ガイド１３はバケツ又は水容器内部に下端を挿入して絞り水をバケツ又は水容器内に誘導するものであり、上端は基盤１の前面に固着され、ポリプロピレン等を適宜採用しうる。前脚１２及び後脚１１で基盤１を立状態に保つ。取っ手１０は持ち運び時に使う。
【００２５】
上記のモップ絞り機構により、モップ枠をモップ掛７１の窪みに掛け可動ローラー２と受動ローラー３の間にモップ布を挟み、レバー６３を後方にロックするとモップ布は可動ローラー２と受動ローラー３に挟圧される。更に押し上げ機構により、踏み板９を踏み込むとモップ布は絞られながら可動ローラー２と受動ローラー３から排出される。
【００２６】
なお、以上の実施例は単に図に基づいた説明の便宜のためのものであって、実際の使用状態等を限定するものではない。また、以上の実施例についての記述における構成部品の寸法、個数、材質、形状その相対配置などは単なる説明例に過ぎない。
【図面の簡単な説明】
【００２７】
【図１】本発明の一実施形態にかかるモップ絞り器の外観斜視図である。
【図２】図１のモップ絞り器の踏み板を踏み込んだときの側面図である。
【図３】図１のモップ絞り器の平面図である。
【図４】図１のモップ絞り器の踏み板を踏み込んだときの正面図である。
【図５】図１のモップ絞り器の踏み板を踏み込んだときの裏面図である。
【図６】図１のモップ絞り器の押し上げ機構の内部構造図である。
【図７】図１のモップ絞り器の起倒板を前方に起こしたときの絞り機構の原理図である。
【図８】図１のモップ絞り器の起倒板をロックしたときの絞り機構の原理図である。
【図９】図１のモップ絞り器の起倒板を前方に起こしたときの斜視図である。
【図１０】図１のモップ絞り器の正面図である。
【図１１】図１のモップ絞り器の側面図である。
【図１２】図１のモップ絞り器の裏面図である。
【図１３】図１のモップ絞り器のプーリーとワイヤーに替えてチェーンとギヤを使用したときの構造図である。
【図１４】図１のモップ絞り器の前ナットと後ナットに替わるナット付ラチェットである。
【図１５】図１のモップ絞り器のモップ布を圧挟したときの斜視図である。
【図１６】図１のモップ絞り器のモップ布を排出したときの斜視図である。
【図１７】図１のモップ絞り器の使用応用として架台に付けたときの斜視図である。
【符号の説明】
【００２８】
１  基盤
２  可動ローラー
３  受動ローラー
４  スプリング
５  軸ネジ
６  起倒板
７  持ち上げ棒
８  回転体（プーリー）
９  踏み板
１０  取っ手
１１  後脚
１２  前脚
１３  絞り水ガイド
１４  チェーン
１５  ギヤ
１６  ナット付ラチェット
２３  押引棒
２４  長さ調整ネジ（蝶ネジ）
６２  腕棒
６３  レバー
７５  戻しバネ
８１  回転体軸（プーリー軸）
８２  回転体支持板（プーリー軸支持板）
８３  無端伝達体（ワイヤー）
８４  スライド板
８６  側板
【図１】
2009189535.tif 000003
【図２】
2009189535.tif 000004
【図３】
2009189535.tif 000005
【図４】
2009189535.tif 000006
【図５】
2009189535.tif 000007
【図６】
2009189535.tif 000008
【図７】
2009189535.tif 000009
【図８】
2009189535.tif 000010
【図９】
2009189535.tif 000011
【図１０】
2009189535.tif 000012
【図１１】
2009189535.tif 000013
【図１２】
2009189535.tif 000014
【図１３】
2009189535.tif 000015
【図１４】
2009189535.tif 000016
【図１５】
2009189535.tif 000017
【図１６】
2009189535.tif 000018
【図１７】
2009189535.tif 000019
【手続補正書】
【提出日】平成20年4月10日(2008.4.10)
【手続補正１】
【補正対象書類名】特許請求の範囲
【補正対象項目名】全文
【補正方法】変更
【補正の内容】
【特許請求の範囲】
【請求項１】
基盤の前部側でモップ布を可動ローラーと受動ローラーの間で狭圧して絞るため、基盤の後部側にモップ絞り機構を構成するスプリング及びクランク構造を有し、基盤の後部側に可動ローラーと受動ローラーの間で狭圧されたモップ布を絞りながら可動ローラーと受動ローラーの間から排出する押し上げ機構を有するモップ絞り器
【請求項２】
基盤の前部側でモップ布を可動ローラーと受動ローラーの間で狭圧して絞るため、可動ローラーに連結された押引棒が基盤の後部側に延び、基盤の後部側に設けられたスプリングを加圧させると共に押引棒を可動させるクランク機構をなす起倒板があり、起倒板に回動自在に軸支された腕棒と可動ローラーに連結された押引棒が長さ調整ネジでネジ止めされているモップ絞り機構を有する請求項１のモップ絞り器
【請求項３】
踏み板を踏み込むと踏み込みに連動して、踏み板に連動連結した無端伝達体が回転体に支持され長円形に回動し、踏み板と逆向きに動く無端伝達体に連結された持ち上げ棒が上昇し、持ち上げ棒に連動しながらモップ布が可動ローラーと受動ローラーの間から排出される押し上げ機構を有する請求項１のモップ絞り器